(57)【要約】【課題】車両に搭載される映像と音声のうち少なくともいずれか一方を含む複数のソースを切替え可能な装置において、運転に支障をきたさないように安全に複数のソースを切替え可能にする。【解決手段】ＤＶＤ２ｂ、２ｃ、２ｄ、ＴＶ受信部４、ハードディスク５の複数のソースのうち再生していたソースの終了を再生終了検出部１２で検出した後に、車両停止検出部１３で車両の停止を検出した場合には、映像加工表示部１５において各ソースの特徴画像である動画像を作成しモニタ１６に同時に表示させる。そして、モニタ１６に表示された特徴画像を選択することでソースの切替えを行う。【選択図】図１
2008004982.tif 000002
【特許請求の範囲】
【請求項１】
車両に装着され、映像または音声の少なくともいずれか一方を含む複数のソースを再生する複数の再生手段と、前記複数のソースのうち一つのソースを選択する選択手段と、前記選択手段で選択された前記一つのソースに対応する再生手段へ切替える切替え手段と、を備えた車載用ソース切替え装置において、
前記再生手段の再生終了を検出する再生終了検出手段と、
前記車両が停止したことを検出する停止検出手段と、
前記再生終了検出手段によって複数の前記再生手段のいずれか１つの再生終了が検出された後に、前記停止検出手段によって前記車両が停止したことを検出された場合に、前記複数のソース夫々に対応して設けられかつ対応するソースを示す特徴画像を複数作成する特徴画像作成手段と、
前記特徴画像作成手段が作成した複数の前記特徴画像を同時に表示する表示手段と、
を備え、
前記表示手段に表示させた複数の前記特徴画像のうち一つの特徴画像が前記選択手段によって選択されると、前記切替え手段が、選択されたソースに対応する再生手段へ切替えることを特徴とする車載用ソース切替え装置。
【請求項２】
前記特徴画像が、前記複数のソースのうち動画像を含むソースは、該ソースを再生した動画像であることを特徴とする請求項１に記載の車載用ソース切替え装置。
【請求項３】
前記特徴画像が、音声のみのソースの場合は予め設定された所定の画像であることを特徴とする請求項１に記載の車載用ソース切替え装置。
【請求項４】
車両内で、映像または音声の少なくともいずれか一方を含む複数のソースのうち一つのソースを選択し、選択された前記一つのソースに切替えて再生する車載用ソース切替え方法において、
前記複数のソースのいずれか１つの再生の終了を検出した後に、前記車両が停止したことを検出した場合に、前記複数のソース夫々に対応して設けられかつ対応するソースを示す特徴画像を複数作成して同時に表示し、表示させた複数の前記特徴画像を選択して選択されたソースに切替えることを特徴とする車載用ソース切替え方法。
【請求項５】
車両内で、映像または音声の少なくともいずれか一方を含む複数のソースのうち一つのソースを選択し、選択された前記一つのソースに切替えて再生する車載用ソース切替え装置のコンピュータを動作させるための車載用ソース切替えプログラムにおいて、
前記複数のソースのいずれか１つの再生の終了を検出する再生終了検出手段と、
前記車両が停止したことを検出する停止検出手段と、
前記再生の終了検出後に前記車両の停止を検出した場合に、前記複数のソース夫々に対応して設けられかつ対応するソースを示す特徴画像を複数作成する特徴画像作成手段と、
複数の前記特徴画像を同時に表示させる表示手段と、
前記表示された複数の前記特徴画像から選択されたソースに切替えるソース切替え手段と、
してコンピュータに機能させることを特徴とするコンピュータ読み取り可能な車載用ソース切替えプログラム。
【請求項６】
請求項５に記載の車載用ソース切替えプログラムを格納したことを特徴とするコンピュータ読み取り可能な記録媒体。
【発明の詳細な説明】
【技術分野】
【０００１】
本発明は、自動車などの車両において、光ディスクやラジオまたはテレビ放送など複数のソースの切替えを行う車載用ソース切替え装置、車載用ソース切替え方法、車載用ソース切替えプログラムおよび記録媒体に関する。
【背景技術】
【０００２】
自動車などの車両において、ラジオやＣＤ（Compact Disc）などの光ディスクといったソースを再生する所謂カーオーディオにおいては、近年ＤＶＤ（Digital Versatile Disk）やテレビ放送あるいはナビゲーションシステムなど映像を含むソースも再生可能な製品が多くなっている。
【０００３】
このような、映像を含むようなソースが複数ある場合には、特許文献１のように、複数のソースの特徴映像を抽出して内容をユーザが確認しながら好みのソースに切替える方法がある。
【特許文献１】特開２００３−１０１９２５号公報
【発明の開示】
【発明が解決しようとする課題】
【０００４】
しかしながら、特許文献１に記載の装置では、特徴映像を抽出しインデックス画面を作成しそれをユーザが選択するのみであり、特に自動車などの車両においては、ユーザであるドライバーが運転中にソース切替えなどの操作を行うのは安全性の面から問題があり特許文献１に記載の装置をそのまま車両に適用するのは不適切であった。
【０００５】
そこで、本発明は、例えば車両に搭載される映像と音声のうち少なくともいずれか一方を含む複数のソースを切替え可能な装置において、運転に支障をきたさないように安全に複数のソースを切替えることが可能な車両用ソース切替え装置、車両用ソース切替え方法、車載用ソース切替えプログラムおよび記録媒体を提供することを課題とする。
【課題を解決するための手段】
【０００６】
上記課題を解決するために、請求項１記載の発明は、車両に装着され、映像または音声の少なくともいずれか一方を含む複数のソースを再生する複数の再生手段と、前記複数のソースのうち一つのソースを選択する選択手段と、前記選択手段で選択された前記一つのソースに対応する再生手段へ切替える切替え手段と、を備えた車載用ソース切替え装置において、前記再生手段の再生終了を検出する再生終了検出手段と、前記車両が停止したことを検出する停止検出手段と、前記再生終了検出手段によって複数の前記再生手段のいずれか１つの再生終了が検出された後に、前記停止検出手段によって前記車両が停止したことを検出された場合に、前記複数のソース夫々に対応して設けられかつ対応するソースを示す特徴画像を複数作成する特徴画像作成手段と、前記特徴画像作成手段が作成した複数の前記特徴画像を同時に表示する表示手段と、を備え、前記表示手段に表示させた複数の前記特徴画像のうち一つの特徴画像が前記選択手段によって選択されると、前記切替え手段が、選択されたソースに対応する再生手段へ切替えることを特徴としている。
【０００７】
請求項４記載の発明は、車両内で、映像または音声の少なくともいずれか一方を含む複数のソースのうち一つのソースを選択し、選択された前記一つのソースに切替えて再生する車載用ソース切替え方法において、前記複数のソースのいずれか１つの再生の終了を検出した後に、前記車両が停止したことを検出した場合に、前記複数のソース夫々に対応して設けられかつ対応するソースを示す特徴画像を複数作成して同時に表示し、表示させた複数の前記特徴画像を選択して選択されたソースに切替えることを特徴としている。
【０００８】
請求項５記載の発明は、車両内で、映像または音声の少なくともいずれか一方を含む複数のソースのうち一つのソースを選択し、選択された前記一つのソースに切替えて再生する車載用ソース切替え装置のコンピュータを動作させるための車載用ソース切替えプログラムにおいて、前記複数のソースのいずれか１つの再生の終了を検出する再生終了検出手段と、前記車両が停止したことを検出する停止検出手段と、前記再生の終了検出後に前記車両の停止を検出した場合に、前記複数のソース夫々に対応して設けられかつ対応するソースを示す特徴画像を複数作成する特徴画像作成手段と、複数の前記特徴画像を同時に表示させる表示手段と、前記表示された複数の前記特徴画像から選択されたソースに切替えるソース切替え手段と、してコンピュータに機能させることを特徴としている。
【発明を実施するための最良の形態】
【０００９】
以下、本発明の一実施形態にかかる光ディスク再生装置を説明する。本発明の一実施形態にかかる車載用ソース切替え装置は、再生終了検出手段によって再生手段の再生終了が検出された後に、停止検出手段によって車両が停止したことを検出された場合に、複数のソースの内容が各々判別できるような特徴画像を各ソース毎に作成し、作成した複数の特徴画像を表示手段に同時に表示させる。そして、表示手段に表示された複数の特徴画像から選択手段によって選択された特徴画像に対応するソースの再生手段へと切替える。このようにすることによって、車両の停止時にのみソースの切替えが行えるので安全に複数のソースを切替えることが可能となる。
【００１０】
また、複数のソースのうち動画像を含むソースは、該ソースを再生した動画像としてもよい。このようにすることによって、動画像を含むソースにおいて、内容を容易に判別することができる。
【００１１】
また、音声のみのソースの場合は予め設定された所定の画像としてもよい。このようにすることによって、音声のみのソースに対して予めそのソースの特徴を示すような画像を用意しておくことで表示手段に表示させたときに判別が行いやすくなる。
【００１２】
また、本発明の一実施形態にかかる車載用ソース切替え方法は、再生終了が検出された後に、車両が停止したことを検出された場合に、複数のソースの内容が各々判別できるような特徴画像を各ソース毎に作成し、作成した複数の特徴画像を同時に表示する。そして、表示された複数の特徴画像から選択された特徴画像に対応するソースへと切替える。このようにすることによって、車両の停止時にのみソースの切替えが行えるので安全に複数のソースを切替えることが可能となる。
【００１３】
また、本発明の一実施形態にかかる車載用ソース切替えプログラムは、再生終了検出手段によって再生終了が検出された後に、停止検出手段によって車両が停止したことを検出された場合に、複数のソースに対応した特徴画像を各ソース毎に作成し、作成した複数の特徴画像を表示手段が同時に表示させる。そして、表示手段が表示させた複数の特徴画像から選択された特徴画像にソース切替え手段で対応するソースへと切替える。このようにすることによって、車両の停止時にのみソースの切替えが行えるので安全に複数のソースを切替えることが可能となる。また、コンピュータに実行させるプログラムとしたことで、専用のハードウェアが不要となり汎用性が増す。
【００１４】
また、車載用ソース切替えプログラムをコンピュータ読み取り可能な記録媒体に格納しても良い。このようにすることにより、車載用ソース切替えプログラムを機器に組み込む以外に単体でも流通させることができる。
【実施例】
【００１５】
本発明の一実施例にかかるソース切替え装置１を図１ないし図３を参照して説明する。ソース切替え装置１は、自動車に装着されており、複数枚のＤＶＤ（Digital Versatile Disk）およびＣＤ（Compact Disc）等の光ディスクの再生が可能な光ディスクチェンジャー２と、テレビ受信用アンテナ３と、ＴＶ受信部４と、ハードディスク５と、音声・映像再生部Ａ６と、音声・映像再生部Ｂ７と、音声・映像再生部Ｃ８と、音声・映像再生部Ｄ９と、音声・映像再生部Ｅ１０と、音声・映像記録部１１と、再生終了検出部１２と、車両停止検出部１３と、メニュー表示制御部１４と、映像加工表示部１５と、モニタ１６とを備えている。
【００１６】
光ディスクチェンジャー２は、複数の光ディスクを収容可能な収容部２ａと、光ピックアップ２ｂ１、２ｃ１、２ｄ１とを備えている。
【００１７】
収容部２ａは複数の光ディスクとしてＤＶＤ２ｂ、２ｃ、２ｄを収容可能であり、図示しないＤＶＤ２ｂ、２ｃ、２ｄ各々をローディングまたはアンローディングする機構や各ＤＶＤを回転させるディスクモータや光ピックアップ２ｂ１、２ｃ１、２ｄ１を制御する制御部などを備えている。
【００１８】
光ピックアップ２ｂ１、２ｃ１、２ｄ１は、ＤＶＤ２ｂ、２ｃ、２ｄ各々から記録されている情報を読み取るものであり、図示しないレーザダイオードや、ＤＶＤ上にレーザダイオードからのレーザ光を照射するための対物レンズ、フォーカスやトラッキングを合わせるために対物レンズを駆動するアクチュエータ、ＤＶＤから反射された反射光を受ける受光器および受光器で電気信号に変換された情報を所定のレベルに増幅する増幅器などを備えている。なお、光ピックアップ２ｂ１はＤＶＤ２ｂの情報を読み取って音声・映像再生部Ａ６へ出力し、光ピックアップ２ｃ１はＤＶＤ２ｃの情報を読み取って音声・映像再生部Ｂ７へ出力し、光ピックアップ２ｄ１はＤＶＤ２ｄの情報を読み取って音声・映像再生部Ｃ８へ出力する。
【００１９】
ＴＶ受信部４は、地上デジタル放送を受信可能なテレビ受信用アンテナ３で受信した地上デジタル放送の電波から受信したいチャンネルの周波数へ同調しベースバンド信号を取り出して音声・映像再生部Ｄ９へ出力する。
【００２０】
ハードディスク５は、ＴＶ受信部４で受信した番組などを音声・映像記録部１１経由で記録する。記録した番組などは音声・映像再生部Ｅ１０から読み出すことで再生する。
【００２１】
再生手段としての音声・映像再生部Ａ６、音声・映像再生部Ｂ７、音声・映像再生部Ｃ８は、光ディスクチェンジャー２の光ピックアップ２ｂ１、２ｃ１、２ｄ１各々から出力された信号に対して、誤り訂正や復号化を行い、映像および音声信号に復号して映像加工表示部１５へ出力する。また、音声・映像再生部Ａ６はＤＶＤ２ｂの再生が、音声・映像再生部Ｂ７はＤＶＤ２ｃの再生が、音声・映像再生部Ｃ８はＤＶＤ２ｄの再生が終了した場合には再生終了検出部１２へ再生終了を示す信号を出力する。
【００２２】
再生手段としての音声・映像再生部Ｄ９は、ＴＶ受信部４から入力されたベースバンド信号をデジタル信号に変換後、ＯＦＤＭ（Orthogonal Frequency Division Multiplexing）復調およびＭＰＥＧ（Motion Picture Experts Group）復号を行って映像および音声信号に復号して映像加工表示部１５へ出力する。また、１つのＴＶ番組が終了した時点で再生終了検出部１２へ再生終了を示す信号を出力する。
【００２３】
再生手段としての音声・映像再生部Ｅ１０は、ハードディスク５に記録された番組を読み出し復号化して映像加工表示部１５へ出力する。また、１つの記録している単位（番組）を再生終了した時点で再生終了検出部１２へ再生終了を示す信号を出力する。
【００２４】
音声・映像記録部１１は、音声・映像再生部Ｄ９からの映像や音声信号を符号化してハードディスク５へ記録する。
【００２５】
再生終了検出手段としての再生終了検出部１２は、音声・映像再生部Ａ６、音声・映像再生部Ｂ７、音声・映像再生部Ｃ８、音声・映像再生部Ｄ９、音声・映像再生部Ｅ１０のいずれかから再生終了を示す信号が入力されたことを検出し、検出した場合には再生終了フラグをＯＮにセットしてメニュー表示制御部１４へ再生終了フラグの状態を出力する。すなわち、各音声・映像再生部からの検出信号が再生継続などによって短い場合でも再生終了フラグにより再生終了があったことを保存できる。
【００２６】
停止検出手段としての車両停止検出部１３は、自動車の車速パルス信号が入力され、車両の停止状態を検出し、検出された場合にはメニュー表示制御部１４へ車両停止検出を示す信号を出力する。
【００２７】
メニュー表示制御部１４は、再生終了検出部１２と車両停止検出部１３からの検出信号に基づいて映像加工表示部１５に対して特徴画像の作成およびモニタ１６への出力指示を行う。
【００２８】
切替え手段、特徴画像作成手段としての映像加工表示部１５は、メニュー表示制御部１４からの指示に基づいて、音声・映像再生部Ａ６、音声・映像再生部Ｂ７、音声・映像再生部Ｃ８、音声・映像再生部Ｄ９、音声・映像再生部Ｅ１０各々から入力される映像信号のうちいずれか１つをモニタ１６に出力または、音声・映像再生部Ａ６、音声・映像再生部Ｂ７、音声・映像再生部Ｃ８、音声・映像再生部Ｄ９、音声・映像再生部Ｅ１０各々から入力される映像信号から特徴画像を作成してモニタ１６へ出力する。なお、音声は映像加工表示部１５から図示しないアンプを経由して同様に図示しないスピーカから出力される。
【００２９】
選択手段、表示手段としてのモニタ１６は、ＬＣＤ（Liquid Crystal Display）などで構成され映像加工表示部１５から入力される映像を表示する。さらに、表示画面はタッチパネルになっており、ユーザが画面に触れることで様々な操作を行うことができる。
【００３０】
次に、図１に示すような構成からなるソース切替え装置１において、複数のソースとしてのＤＶＤ２ｂ、ＤＶＤ２ｃ、ＤＶＤ２ｄと、ＴＶ受信部４が受信する地上デジタル放送およびハードディスク５に記録されているＴＶ受信部４が受信した地上デジタル放送の番組から好みのソースを選択するの際の動作を図２に示すフローチャートを参照して説明する。
【００３１】
まず、ステップＳ１において、予めデフォルトで選択されているソースまたは直前まで再生していたソースの再生を開始してステップＳ２に進む。例えばデフォルトまたは直前のソースがＤＶＤ２ｂだった場合、ＤＶＤ２ｂからピックアップ２ｂ１が情報を読み出して、音声・映像再生部Ａ６で映像及び音声信号に復号され、映像加工表示部１５は音声・映像再生部Ａ６からの信号をそのままモニタ１６へ出力することでモニタ１６にはＤＶＤ２ｂの内容が再生され表示される。
【００３２】
次に、ステップＳ２において、現在再生中のソースが再生終了したか否かを判断して、再生終了した場合（ＹＥＳの場合）はステップＳ３へ進み、そうでない場合（ＮＯの場合）は再度ステップＳ２を行う。ソースの再生終了の判断は、ＤＶＤ２ｂ、２ｃ、２ｄがＤＶＤ−Ｖｉｄｅｏ又はＤＶＤ−Ａｕｄｉｏフォーマットの場合は、ディスク内の全てのタイトルの再生が終了したことを検出した場合若しくは１つのタイトルの再生が終了してメニューへ戻る信号を検出した場合に対応する音声・映像再生部が再生終了検出部１２へ再生終了を示す信号を出力する。また、ＤＶＤ２ｂ、２ｃ、２ｄにＤＶＤではなく音楽が記録されたＣＤが収容されている場合は、ディスクの最後まで再生したことを検出した場合に対応する音声・映像再生部が再生終了検出部１２へ再生終了を示す信号を出力する。ＴＶ受信部４で受信する地上デジタル放送の場合は、放送される番組に付加されるメタデータを用いてメタデータの変化により視聴中の番組の終了を検出して音声・映像再生部Ｄ９が再生終了検出部１２へ再生終了を示す信号を出力する。ハードディスク５に記録された番組の場合は１つの記録単位（番組等１回の記録操作において作成されるファイル）の最後を検出したことで、音声・映像再生部Ｅ１０が再生終了検出部１２へ再生終了を示す信号を出力する。
【００３３】
次に、ステップＳ３において、再生終了検出部１２の再生終了フラグをＯＮにセットしてステップＳ４に進む。
【００３４】
次に、ステップＳ４において、車両が停止したか否かを判断して停止している場合はステップＳ６へ進み、そうでない場合はステップＳ５へ進む。車両が停止したか否かの判断は、車両停止検出部１３において車速パルスを検出しなくなった場合に車両が停止していると判断してメニュー表示制御部１４へ車両停止を示す信号を出力する。
【００３５】
次に、ステップＳ５において、再生は終了しているものの車両は停止していないため、それまで再生していたソースの再生を継続しステップＳ４に戻る。例えばＴＶ受信部４が受信する地上デジタル放送であれば、直前に視聴していたチャンネルの内容をモニタ１６に表示する。
【００３６】
次に、ステップＳ６において、ステップＳ５を経由していずれかのソースが再生継続中か否かを判断して、再生継続中である場合はステップＳ７に進み、そうでない場合はステップＳ８に進む。
【００３７】
次に、ステップＳ７において、再生を中断させてステップＳ８に進む。すなわちステップＳ２において１度再生終了を検出しているので、車両停止の検出で再生よりもメニュー表示を優先させる。
【００３８】
次に、ステップＳ８において、再生終了検出部１２の再生終了フラグをＯＦＦにセットしてステップＳ９に進む。
【００３９】
次に、ステップＳ９において、モニタ１６にメニュー表示を行いステップＳ１０に進む。メニューは、映像加工表示部１５において図３に一例を示すようなメニューを生成してモニタ１６に表示させる。図３は各ソースの内容を縮小した形で各々の動画像（複数の特徴画像）を表示させている。つまり、全てのソースの再生を開始してそれらの内容を各ソースに対応して設けられかつ各ソースを示す特徴画像としてリアルタイムに表示している。すなわち、再生終了検出後に車両の停止を検出したことで特徴画像を作成して表示している。また、図３の太枠は直前まで視聴していたソースである。
【００４０】
ステップＳ２〜Ｓ９までを行うことで、再生終了と車両の停止が同時で無くても、１度再生終了が検出された後に車両停止を検出した場合は、継続していたソースの再生を中断してメニュー表示を行うことができる。
【００４１】
次に、ステップＳ１０において、ソースの選択が行われたか否かを判断して、ソースの選択が行われた場合（ＹＥＳの場合）はステップＳ１１に進み、そうでない場合（ＮＯの場合）はステップＳ１２に進む。ソースの選択は、ユーザがタッチパネル形式であるモニタ１６に表示されている好みのソースの特徴画像をタッチすることで該特徴画像に対応するソースに決定される。
【００４２】
次に、ステップＳ１１において、新たに選択されたソースの再生を開始してステップＳ２に戻る。すなわち、全てのソースの再生を停止して、映像加工表示部１５は、新たに選択されたソースに対応する音声・映像再生部のみの信号をモニタ１６へ出力する。すなわち、選択されたソースに対応する再生手段へ切替えている。
【００４３】
次に、ステップＳ１２において、車両が発進したか否かを判断して、発進した場合はステップＳ１に戻り、そうでない場合はステップＳ１０に戻る。すなわち、メニュー表示時にソースの選択を行わないで車両が発進した場合は直前まで視聴していたソースの再生を継続する。
【００４４】
本実施例によれば、車両において、ＤＶＤ２ｂ、２ｃ、２ｄ、地上デジタル放送およびハードディスク５に記録した番組の複数のソースを切替えるときに、再生中のソースの再生終了を再生終了検出部１２で検出した後に、車両停止検出部１３で車両の停止を検出した時に、映像加工表示部１５で、特徴画像としての各ソースの内容を再生した動画像を作成し、モニタ１６に表示して選択することでソースの切替えを行う。すなわち、停車中のみにメニュー表示を行うことで走行中の操作を防ぐことができ、安全に複数のソースを切替えることが可能となる。また、メニューを各ソースの内容を再生した動画像としたので容易に各ソースの内容を判別することができる。
【００４５】
なお、上述した実施例において、音声・映像再生部Ａ６、音声・映像再生部Ｂ７、音声・映像再生部Ｃ８、音声・映像再生部Ｄ９、音声・映像再生部Ｅ１０、音声・映像記録部１１、再生終了検出部１２、車両停止検出部１３、メニュー表示制御部１４、映像加工表示部１５は独立したハードウェアとしていたが、図４に示すように前述した各機能（各部）をコンピュータ１００のＣＰＵ１０１に持たせてもよい。すなわち、各機能は各々の機能を実現するプログラムとなり、図２のフローチャートは各機能プログラムを統括してコンピュータ１００で実行されるソース切替えを行うプログラムとなる。このようにすることにより、各ソース固有のハードウェアとモニタ以外はプログラム化することができ装置の汎用性が増す。
【００４６】
また、上述した実施例においては、ラジオ放送やＣＤなどの音声のみのソースが含まれていなかったが、ラジオ放送やＣＤなどの音声のみのソースを混在させてもよい。その場合に図３に示した特徴画像は、予め用意する所定の画像を表示する。予め用意する所定の画像の例としては、ラジオ放送やＣＤを示す文字や画像、あるいは放送局の名称やロゴ、図１に図示しないインターネットへの接続機能がある場合は、ＣＤのジャケット画像や曲名リストなどをインターネットからダウンロードして表示してもよい。また、ラジオ放送の再生終了は、アナログ放送の場合は時報やＧＰＳ（Global Positioning System）の時間情報を用いて毎時０分を再生終了とする。地上波デジタルラジオ放送の場合は地上デジタル放送（テレビ放送）と同様に放送波に付加されるメタデータの変化を検出して再生終了を検出する。
【００４７】
また、上述した実施例においては、テレビ放送は地上デジタル放送の場合を示したが、アナログ放送としてもよい。その場合に番組の終了は、アナログラジオ放送と同様に時報やＧＰＳの時間情報を用いて毎時０分を再生終了とする。
【００４８】
また、上述した実施例においては、光ディスクチェンジャー２については各ディスクが完全に独立したソースとして扱ったが、ＤＶＤ２ｂの再生終了後に継続再生となった場合はＤＶＤ２ｃを再生するような動作としてもよい。
【００４９】
また、音声に関しては、メニュー表示中も直前まで再生していたソースの音声のみを継続して再生しつづけてもよい。
【００５０】
また、複数のソースの選択に関してはモニタをタッチパネルにするだけでなく、リモコンなど選択手段を別に設けてもよい。さらに、選択された（あるいは直前に選択されている）ソースを示す方法も太枠で囲む以外に該当する画像のみ他の画像よりも大きくするなど選択されたことが容易に判別できる方法であればよい。
【００５１】
また、車両の停止の検出は車速パルスではなく、ＧＰＳの位置情報から位置の移動がないことで停止の検出としてもよい。
【００５２】
前述した実施例によれば、以下の光ディスク再生装置および光ディスク再生方法が得られる。
【００５３】
（付記１）車両内で、ＤＶＤ２ｂ、２ｃ、２ｄ、地上デジタル放送およびハードディスクに記録した番組を再生する音声・映像再生部Ａ６と、音声・映像再生部Ｂ７と、音声・映像再生部Ｃ８と、音声・映像再生部Ｄ９と、音声・映像再生部Ｅ１０と、ＤＶＤ２ｂ、２ｃ、２ｄ、地上デジタル放送およびハードディスクに記録した番組のうち一つのソースを選択するモニタ１６と、モニタ１６で選択された一つのソースに対応する音声・映像再生部へ切替える映像加工表示部１５と、を備えた車載用ソース切替え装置１において、
音声・映像再生部Ａ６、音声・映像再生部Ｂ７と、音声・映像再生部Ｃ８と、音声・映像再生部Ｄ９と、音声・映像再生部Ｅ１０の再生終了を検出する再生終了検出部１２と、
車両が停止したことを検出する車両停止検出部１３と、
再生終了検出部１２によって音声・映像再生部Ａ６、音声・映像再生部Ｂ７と、音声・映像再生部Ｃ８と、音声・映像再生部Ｄ９と、音声・映像再生部Ｅ１０のいずれか１つの再生終了が検出された後に、車両停止検出部１３によって車両が停止したことを検出された場合に、ＤＶＤ２ｂ、２ｃ、２ｄ、地上デジタル放送およびハードディスクに記録した番組夫々に対応して設けられかつ対応するソースを示す特徴画像を複数作成する映像加工表示部１５と、
映像加工表示部１５が作成した複数の特徴画像を同時に表示するモニタ１６と、
を備え、
モニタ１６に表示させた複数の特徴画像のうち一つの特徴画像がモニタ１６によって選択されると、映像加工表示部１５が、選択されたソースに対応する音声・映像再生部へ切替えることを特徴とする車載用ソース切替え装置１。
【００５４】
この車載用ソース切替え装置１によれば、車両の停止時にのみソースの切替えが行えるので安全に複数のソースを切替えることが可能となる。
【００５５】
（付記２）走行中の車両内で、ＤＶＤ２ｂ、２ｃ、２ｄ、地上デジタル放送およびハードディスクに記録した番組のうち一つのソースを選択し、選択された一つのソースに切替えて再生する車載用ソース切替え方法において、
ＤＶＤ２ｂ、２ｃ、２ｄ、地上デジタル放送およびハードディスクに記録した番組のうちいずれか１つの再生の終了を検出した後に、車両が停止したことを検出した場合に、
ＤＶＤ２ｂ、２ｃ、２ｄ、地上デジタル放送およびハードディスクに記録した番組夫々に対応して設けられかつ対応するソースを示す特徴画像を複数作成して同時に表示し、表示させた複数の特徴画像を選択して選択されたソースに切替えることを特徴とする車載用ソース切替え方法。
【００５６】
この車載用ソース切替え装置１によれば、車両の停止時にのみソースの切替えが行えるので安全に複数のソースを切替えることが可能となる。
【００５７】
（付記３）車両内で、ＤＶＤ２ｂ、２ｃ、２ｄ、地上デジタル放送およびハードディスクに記録した番組のうち一つのソースを選択し、選択された前記一つのソースに切替えて再生する車載用ソース切替え装置のコンピュータ１００を動作させるための車載用ソース切替えプログラムにおいて、
ＤＶＤ２ｂ、２ｃ、２ｄ、地上デジタル放送およびハードディスクに記録した番組のいずれか１つの再生の終了を検出する再生終了検出部１２と、
車両が停止したことを検出する車両停止検出部１３と、
再生の終了検出後に前記車両の停止を検出した場合に、ＤＶＤ２ｂ、２ｃ、２ｄ、地上デジタル放送およびハードディスクに記録した番組夫々に対応して設けられかつ対応するソースを示す特徴画像を複数作成する映像加工表示部１５と、
複数の特徴画像を同時に表示させるモニタ１６と、
表示された複数の特徴画像から選択されたソースに切替える映像加工表示部１５と、
してコンピュータ１００に機能させることを特徴とするコンピュータ読み取り可能な車載用ソース切替えプログラム。
【００５８】
車載用ソース切替えプログラムによれば、車両の停止時にのみソースの切替えが行えるので安全に複数のソースを切替えることが可能となる。また、コンピュータに実行させるプログラムとしたことで、専用のハードウェアが不要となり汎用性が増す。
【００５９】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００６０】
【図１】本発明の一実施例にかかる車載用ソース切替え装置のブロック図である。
【図２】図１に示されたソース切替え装置の動作を示すフローチャートである。
【図３】モニタに表示されるメニュー画面の例である。
【図４】図１に示されたブロック図をコンピュータに置き換えた場合のブロック図である。
【符号の説明】
【００６１】
１        車載用ソース切替え装置
２ｂ      ＤＶＤ（ソース）
２ｃ      ＤＶＤ（ソース）
２ｄ      ＤＶＤ（ソース）
４        ＴＶ受信部（ソース）
５        ハードディスク（ソース）
６        音声・映像再生部Ａ（再生手段）
７        音声・映像再生部Ｂ（再生手段）
８        音声・映像再生部Ｃ（再生手段）
９        音声・映像再生部Ｄ（再生手段）
１０      音声・映像再生部Ｅ（再生手段）
１２      再生終了検出部（再生終了検出手段）
１３      車両停止検出部（停止検出手段）
１５      映像加工表示部（切替え手段、特徴画像作成手段）
１６      モニタ（選択手段、表示手段）
【図１】
2008004982.tif 000003
【図２】
2008004982.tif 000004
【図３】
2008004982.tif 000005
【図４】
2008004982.tif 000006